(57)【要約】【課題】  組立ての自由度が高く、かつ、組立てが容易な組立式植栽用容器を提供する。【解決手段】  略方形の板体である主板の上面に嵌合部を設けた底板片２２１と、下面に嵌合部を設けた底板結合片２２５を有し、略方形の板体である主板の下部と上部とに嵌合部を設けた側板片２３１と、該側板片２３１の高さと対応する高さを有し、下部と上部とに嵌合部を設けた側板間補助片２４１と、下部に嵌合部を設けた上部結合片２５０と、を有し、底板片２２１の周囲に、側板片２３１及び側板間補助片２４１を交互にこれらの嵌合部により嵌合して側板を立設し、側板片２３１と側板間補助片２４１との隣接部の上部において、上部結合片２５０をこれらの嵌合部により嵌合して、組み立てられた組立式植栽用容器２１０。【選択図】    図１
2013017476.tif 000002
【特許請求の範囲】
【請求項１】
略方形の板体の上面に嵌合部を設けた底板片と、
略方形の板体の下部と上部とに嵌合部を設けた側板片と、
該側板片の高さと対応する高さを有し、下部と上部とに嵌合部を設けた側板間補助片と、
下部に嵌合部を設けた上部結合片と、を有し、
前記底板片の周囲に、前記側板片及び前記側板間補助片を交互に嵌合して側板を立設し、
前記側板片と前記側板間補助片との隣接部の上部に、前記上部結合片を嵌合し組み立てられた組立式植栽用容器。
【請求項２】
前記底板片の主板よりも小さな板状部材の下面に嵌合部を設けた底板結合片を有し、
複数個の前記底板片を平面上に整列し、該底板片の各々の交差点において前記底板結合片をこれらの嵌合部により嵌合して一体的な底板となし、
該底板の周囲に、前記側板片及び前記側板間補助片を交互にこれらの嵌合部により嵌合して側板を立設して組み立てられた請求項１に記載の組立式植栽用容器。
【請求項３】
前記上部結合片が
複数個の嵌合部が直線状に配置された直線結合片と、
複数個の嵌合部が直角に交差した線上に配置された角部結合片と、からなり、
前記側板片と前記側板間補助片との隣接部のうち、直線部においては、上部に前記直線結合片を嵌合し、
前記側板片と前記側板間補助片との隣接部のうち、角部においては、上部に前記角部結合片を嵌合して、組み立てられた請求項１または２に記載の組立式植栽用容器。
【請求項４】
前記側板片が、該側板片の主板の両側部に切欠部を有し、
前記側板間補助片が、２段の断面形状を成す、第１谷部と第２谷部とを有し、
前記側板片と前記側板間補助片との隣接部のうち、角部においては、一つの前記側板間補助片の前記第１谷部と前記第２谷部とがそれぞれ隣接する前記側板片の端部と接合し、
前記側板片と前記側板間補助片との隣接部のうち、直線部においては、２個の前記側板間補助片を９０度回転配置させて隣接させ、前記第１谷部と第２谷部のいずれかと、前記側板片の端部とが接合して組み立てられた請求項１ないし請求項３いずれかに記載の組立式植栽用容器。
【請求項５】
２個の前記側板片が内角２７０度で隣り合うことによる凹角部において、３個の前記側板間補助片が、９０度ずつ回転配置させて隣接し、外側に位置する２個の前記側板間補助片のそれぞれにおける外側の前記第１谷部と前記第２谷部のいずれかと、前記側板片の端部と接合して組み立てられた請求項１ないし請求項４いずれかに記載の組立式植栽用容器。
【請求項６】
請求項１乃至５の組立式植栽用容器を組み立てるための組立てセットであって、
前記底板片と、前記側板片と、前記側板間補助片と、前記上部結合片と、を有する組立式植栽用容器の組立てセット。
【発明の詳細な説明】
【技術分野】
【０００１】
本発明は、植栽、緑化、または栽培等に用いることのできる組立・解体自在な容器に関する。
【背景技術】
【０００２】
現代社会では、個人住宅空地、ベランダ、ビル屋上、公団住宅空地及びベランダ、学校、幼稚園、マンション他、様々な場所において省スペースで手軽に緑化するための植栽用容器等への需要がある。そのような植栽用容器は、手軽に設置・利用するために移動可能であることが望ましく、また、学校、幼稚園での実体験教育、団塊世代の趣味と実益、菜園での実体験と家族の交流等、多種多様な場面での使用における要求を満たすことが求められている。
【０００３】
特許文献１に記載の考案は、建物の屋上等で野菜や草花を栽培しているが、その栽培容器は発泡スチロールの箱・ミカン箱等の廃物容器又は合成樹脂製の容器等を使用していることが多いので、容器が腐朽して見苦しい状況が多いという課題を解決するために、日曜大工で１人でも任意の大きさ・形の組立が可能な耐久性のある植物栽培容器を考案するため、栽培容器を耐久性・可搬型の基本片Ａ・Ｂ・Ｃの３種類に分解して製造し、任意の大きさ・形の植物栽培容器を組み立てていき、材料はコンクリート又はＦＲＰを使用するものである。
【０００４】
特許文献２に記載の発明は、空洞コンクリートブロックを使用した堅牢で組立・解体が容易な組立式片植栽容器を提供するため、組立式ブロック植栽容器２０は、矩形の基底板２と、高さ２〜１０ｃｍの柱状突起片３が２個（３ａ、３ｂ）上面に固着されるとともに前記基底板２の上面縁部に沿って連設された複数個の長方形金属板４（６個使用）と、前記長方形金属板４の各柱状突起片３に嵌合することで垂設される複数本のパイプ支柱７（１２本使用）と、前記パイプ支柱７に空洞穴部分８を挿通しつつ積層して容器の壁面Ｗ１、Ｗ２、Ｗ３、Ｗ４を形成する規格化された空洞コンクリートブロック１（１２個使用）と、からなり、組立、解体が容易で、一方の壁面のみを取り外して開口し、土壌を横に排出することで内部土壌や植木の根の状態を調べる、植え替える等の作業が容易に行える構成である。
【先行技術文献】
【特許文献】
【０００５】
【特許文献１】実開平５−６７２４２号公報
【特許文献２】特開２０００−１２５６６９号公報
【発明の概要】
【発明が解決しようとする課題】
【０００６】
しかしながら、特許文献１に記載のものは、コンクリート製のブロックでは重量のため一つのブロックの大きさが限定されて、実際には組立が煩雑で容易に組み立てられるとは言い難いものであった。また、ＦＲＰを使用するにしても、各ブロックの接合強度を得るのが難しく実施が困難であった。さらに、組立のための凸部が植物栽培容器の内部にあるため、土のかき出しや攪拌が難しかったり、凹部の排水ができなかったりという問題があった。特許文献２に記載のものは、組立て後の全体の大きさが１個の基底板の大きさに依拠してしまうため、汎用性に乏しく、広い範囲にわたる利用可能性に限界があった。また、防虫性、遮光性を確保するためには、網とビニールをかぶせなければならず、追加の施工等が面倒であった。
【０００７】
そこで本発明は、組立ての自由度が高く、かつ、組立てが容易な組立式植栽容器を提供することを課題とする。
【課題を解決するための手段】
【０００８】
上記課題に鑑み、本発明は、略方形の板体である主板の横置き状態における上面に嵌合部を設けた底板片と、略方形の板体である主板の縦置き状態における下部と上部とに嵌合部を設けた側板片と、縦置き状態における該側板片の高さと対応する高さを有し、下部と上部とに嵌合部を設けた側板間補助片と、下部に嵌合部を設けた上部結合片と、を有し、各片が各々の嵌合部同士の凹凸による嵌合をもって着脱自在になされる組立式植栽用容器の組立てセットである。
【０００９】
上記本発明において、前記底板片の主板よりも小さな板状部材の横置き状態における下面に嵌合部を設けた底板結合片を有することが好ましい。
【００１０】
上記本発明において、前記上部結合片が、嵌合部が直線状に配置された直線結合片と、嵌合部が直角に交差した線上に配置された角部結合片と、からなることが好ましい。
【００１１】
上記本発明において、前記側板片が、該側板片の主板の両側部に、嵌合部を除いた高さ方向に亘って切り欠かれる切欠部を有し、前記側板間補助片が、嵌合部を除いた高さ方向に亘って略Ｗ字状の断面形状であることにより、それぞれが前記切欠部と接合し、直角をなして相対する第１谷部と第２谷部とを有することが好ましい。
【００１２】
上記課題に鑑み、本発明は、略方形の板体である主板の横置き状態における上面に嵌合部を設けた底板片と、略方形の板体である主板の縦置き状態における下部と上部とに嵌合部を設けた側板片と、縦置き状態における該側板片の高さと対応する高さを有し、下部と上部とに嵌合部を設けた側板間補助片と、下部に嵌合部を設けた上部結合片と、を有し、前記底板片の周囲に、前記側板片及び前記側板間補助片を交互にこれらの嵌合部により嵌合して側板を立設し、前記側板片と前記側板間補助片との隣接部の上部において、前記上部結合片をこれらの嵌合部により嵌合して、組み立てられた組立式植栽用容器である。
【００１３】
上記本発明において、前記底板片の主板よりも小さな板状部材の横置き状態における下面に嵌合部を設けた底板結合片を有し、複数個の前記底板片を平面上に整列し、該底板片の各々の交差点において前記底板結合片をこれらの嵌合部により嵌合して一体的な底板となし、該底板の周囲に、前記側板片及び前記側板間補助片を交互にこれらの嵌合部により嵌合して側板を立設して、組み立てられることが好ましい。
【００１４】
上記本発明において、前記上部結合片が複数個の嵌合部が直線状に配置された直線結合片と、複数個の嵌合部が直角に交差した線上に配置された角部結合片と、からなり、前記側板片と前記側板間補助片との隣接部のうち、直線部においては、上部に前記直線結合片を嵌合し、前記側板片と前記側板間補助片との隣接部のうち、角部においては、上部に前記角部結合片を嵌合して、組み立てられることが好ましい。
【００１５】
上記本発明において、前記側板片が、該側板片の主板の両側部に、嵌合部を除いた高さ方向に亘って切り欠かれる切欠部を有し、前記側板間補助片が、嵌合部を除いた高さ方向に亘って略Ｗ字状の断面形状であることにより、それぞれが前記切欠部と接合し、直角をなして相対する第１谷部と第２谷部とを有し、前記側板片と前記側板間補助片との隣接部のうち、角部においては、一つの前記側板間補助片の前記第１谷部と前記第２谷部とがそれぞれ隣接する前記側板片の前記切欠部と接合し、前記側板片と前記側板間補助片との隣接部のうち、直線部においては、２個の前記側板間補助片が、一方の前記側板間補助片の前記第１谷部と他方の前記側板間補助片の前記第２谷部とを外側にして対称に隣接し、外側の前記第１谷部と前記第２谷部とにより、それぞれ隣接する前記側板片の前記切欠部と接合して、組み立てられることが好ましい。
【００１６】
上記本発明において、二個の前記側板片が内角２７０度で隣り合うことによる凹角部を有し、該凹角部において、３個の前記側板間補助片が、それぞれ前記第１谷部及び前記第２谷部を外側にして９０度ずつ回転配置されて隣接し、外側に位置する２個の前記側板間補助片のそれぞれにおける外側の前記第１谷部と前記第２谷部とが、それぞれ隣接する前記側板片の前記切欠部と接合して、組み立てられることが好ましい。
【００１７】
本発明は、各部材の組み合わせ数を増減することにより、所定の部材から、所望の大きさ・形状のものを自在に得ることができる組立式植栽用容器である。例えば、前記底板片１個をもって前記底板とし、前記側板片１個をもって前記側板とし、前記底板と前記側板四個と前記側板間補助片とにより組み立てると、本発明における最小限の構成である組立式植栽用容器を得る。ここで、直線部においては、一つの直線部につき、前記側板間補助片を二個ずつ用いる。なお、本発明は、これらの部材の形状や組み合わせ方に関するものであって、組立て方の順番を構成要素とするものではない。
【００１８】
前記側板間補助片の「略Ｗ字状の断面形状」とは、一方向に第１谷部と第２谷部とを有することを意味し、これらの反対側にある「略Ｗ字状」の一つの谷部を構成要件とするものではない。また、「断面形状」とは外形形状であることを指し、中空形状である場合も含む。
【００１９】
また、本発明は、左右に対向する前記側板の各々の上方に立設され、天井で左右方向に横架する複数の逆Ｕ字形状の骨部材と、複数の該骨部材の上面から前後左右の側面まで覆設される防水シート及び／または網シートと、を備え、前記防水シート及び／または前記網シートの側面が、その下端から上方まで開閉自在な縦スリットを複数個有することにより、複数のカーテン部に分割され、該カーテン部ごとに上下方向に開閉自在であることを特徴として好ましい。
【００２０】
前記縦スリットの開閉にはファスナーが好適であるが、これに限らず、スナップボタン等の係止手段を用いることができる。
【００２１】
本発明の各片は、プラスチック製であることが好ましい。ここでいうプラスチックとは各種の合成樹脂等を含むが、例えばＰＰ材が好ましい。また、その他各種鋼板も用いることができる。
【発明の効果】
【００２２】
本発明による組立式植栽用容器は、底板片、底板結合片、側板片、側板間補助片、及び上部結合片のみから組み立てることが可能であり、組立て容易であるばかりでなく、部品の共通化により製造コストを低く抑えることができる。
【００２３】
本発明による組立式植栽用容器は、各部材の嵌合部による嵌め込みで可能なため、ボルト等の締結部品や工具を別途使用することなく、非常に容易に組み立てることが可能であり、また、安全性も向上する。
【００２４】
本発明による組立式植栽用容器は、使用する底板片及び側板片の組み合わせ個数の増減により、組立式植栽用容器全体のサイズや形状を任意に選択することができる。例えば、底板片を１個、側板片を前後左右１個ずつ組み合わせると最小限の構成となる組立式植栽用容器を得ることができる。また、組み合わせ個数を増やせば組立式植栽用容器を大きくすることができる。
【００２５】
側板片による側板の立設において、側板片の間に側板間補助片を汎用的に用いることにより、部材の共通化を図りつつも、組立の自由度が向上する。すなわち、側板片同士が直線的に隣り合う場合には、側板間補助片を２個使用して結合することができ、側板片同士が内角９０度で隣り合う場合には、側板間補助片を一つ使用して結合することができ、側板片同士が内角２７０度で隣り合う場合には、側板間補助片を３個使用して結合することができる。
【００２６】
本発明による組立式植栽用容器は簡易な構造であるため、組立・分解が容易であり、移動にも便利であり、多様な場所に設置することができる。また、簡易な構造であることは、例えば温室として使用するなどの多様な用途にも好適であり、多種多様な社会の要求を満たすことができる。具体的には、骨部材と、開閉自在なカーテン部を有する防水シート及び／または網シートとを備えることにより、組立式植栽用容器上を温室化し、この中の環境を適宜調整することが容易となる。
【図面の簡単な説明】
【００２７】
【図１】実施形態１による組立式植栽用容器１１０の斜視図である。
【図２】同実施形態による組立式植栽用容器１１０の平面図である。上部結合片１５０の図示は省略している。
【図３】同実施形態による組立式植栽用容器１１０の側面図である。上部結合片１５０の図示は省略している。
【図４】（a）〜（ｅ）は同実施形態による組立式植栽用容器の組立てセット１００の集合図である。
【図５】（ａ）は同実施形態による底板片１２１の平面図である。（ｂ）は同底板片１２１の側面図である。
【図６】（ａ）は同実施形態による底板結合片１２５の平面図である。（ｂ）は同底板結合片１２５の側面図である。（ｃ）は同底板結合片１２５の斜視図である。斜視図は突縁１２６ａのうち格子状の部分の図示を省略している。
【図７】（ａ）は同実施形態による側板片１３１の平面図である。（ｂ）は同側板片１３１の正面図である。（ｃ）は同側板片１３１の側面図である。
【図８】（ａ）は同実施形態による側板間補助片１４１の平面図である。（ｂ）は同側板間補助片１４１の正面図である。（ｃ）は同側板間補助片１４１の斜視図である。
【図９】（ａ）は同実施形態による直線結合片１５１の平面図である。（ｂ）は同直線結合片１５１の正面図である。（ｃ）は同直線結合片１５１の斜視図である。
【図１０】（ａ）は同実施形態による角部結合片１６１の平面図である。（ｂ）は同角部結合片１６１の側面図である。（ｃ）は同角部結合片１６１の斜視図である。
【図１１】同実施形態による直線部の結合の様子を示す平面図である。直線結合片１５１の図示は省略している。
【図１２】同実施形態による角部の結合の様子を示す平面図である。角部結合片１６１の図示は省略している。
【図１３】実施形態２による組立式植栽用容器２１０の斜視図である。上部結合片２５０の図示は省略している。
【図１４】（ａ）（ｂ）は同実施形態による凹角部の結合の様子を示す平面図である。凹角部結合片２７１の図示は省略している。
【図１５】（ａ）は同実施形態による凹角部結合片２７１の平面図である。（ｂ）は同凹角部結合片２７１のＡ−Ａ線の断面図である。
【図１６】実施形態３による組立式植栽用容器３１０の斜視図である。
【発明を実施するための形態】
【００２８】
以下に、本発明の実施形態１による組立式植栽用容器の組立てセット１００及び組立式植栽用容器１１０（以下、単に容器という）について図１〜図１２を参照して説明する。
【００２９】
図１〜３に示す通り、容器１１０は、図４に示す容器の組立てセット１００を組み立てたものであり、単数又は複数個（ここでは１２個）の底板１２０と複数個（ここでは４組）の側板１３０とを有し、上方が開口した略箱体の形状を有する。容器の組立てセット１００は、底板片１２１、底板結合片１２５（以下、単に結合片１２５という。）、側板片１３１、側板間補助片１４１（以下、単に補助片１４１という）、及び上部結合片１５０から構成される。上部結合片１５０として、直線結合片１５１（以下、単に結合片１５１という）及び角部結合片１６１（以下、単に結合片１６１という）がある。以下、各部材について説明する。
【００３０】
底板片１２１は、図２、図５に示すように、平面視で正方形である主板１２２と、主板１２２に設けられた複数の嵌合部１２３とを有する。複数の嵌合部１２３は４辺の内側に所定間隔で周設されている。
【００３１】
主板１２２は、方形、例えば、正方形の板材１２２ａと、下面に設けられる補強のための突縁１２２ｂとを有する。突縁１２２ｂは、嵌合部１２３のための厚みを確保しつつ、軽量化と強度確保を図るためのものである。
【００３２】
嵌合部１２３は、主板１２２の上面の端辺付近に設けられる所定形状（例えば角状）の非貫通の穴であり、一つの端辺につき複数（例えば四個）ずつ設けられる。嵌合部１２３は、主板１２２の角部においては隣り合う端辺に共通穴として設けるため、一つの底板片１２１に１辺あたり４個で合計１２個が設けられる。嵌合部１２３は、嵌合部１２３の中心が主板１２２の端辺から所定間隔、離れた位置に設けられる。また、主板１２２の一つの端辺のうち、角部でない位置に設けられる２個の嵌合部１２３の中心間の距離が設けられている。
【００３３】
底板結合片１２５は、図６に示すように、底板片１２１よりも小さな主材１２６と、主材１２６の下面に設けられた嵌合部１２７とを有する。ここでは嵌合部１２７は主板１２２下面から垂直に凸状に延び出している。主材１２６は、部材の角部を切り欠いた形状であり、下面に厚みと強度を確保するための突縁１２６ａが設けられている。嵌合部１２７は、突縁１２６ａの下面よりも下方に突設し、図５に示す嵌合部１２３と接合する角状の突起である。隣り合う嵌合部１２７の中心間は距離が置かれている。
【００３４】
側板片１３１は、図７に示すように、主板１３２と、主板１３２の上面に設けられた上嵌合部１３４と、主板１３２の下面に設けられた下嵌合部１３５と、を有する。
【００３５】
主板１３２は、長方形の垂直な板材１３２ａと、板材１３２ａの上端部から水平に設ける突縁１３２ｂと、板材１３２ａの下端部から水平に設ける突縁１３２ｃと、板材１３２ａの左側端部から垂直に設ける突縁１３２ｄと、突縁１３２ｄに隣接して内側に設けられ、それよりも長い（ここでは２倍の長さ）突縁１３２ｅと、板材１３２ａの右側端部から垂直に設ける突縁１３２ｆと、突縁１３２ｆに隣接して内側に設けられ、それよりも長い（ここでは２倍の長さ）突縁１３２ｇと、板材１３２ａの面に対して垂直に延び出し、突縁１３２ｂ〜１３２ｇと連結し、高さの低い、格子状の補強のための突縁１３２ｈと、を有する。
【００３６】
主板１３２の両側部には、それぞれ、平面視で段部が形成され、切欠部１３３ａ，１３３ｂが垂直方向に延び出している。
【００３７】
突縁１３２ｂの両側部には、長穴形状の上嵌合部１３４が、それぞれ、切欠部１３３ａ，１３３ｂの近傍に設けられる。突縁１３２ｃには、図５に示す嵌合部１２３と嵌合する形状の突起である複数（例えば２個）の下嵌合部１３５が設けられる。２個の下嵌合部１３５は、垂直下方に突出し、それぞれの中心間の距離が設定されている。
【００３８】
また、突縁１３２ｂ及び突縁１３２ｃには、穴１３６ａ，１３６ｂが対応して設けられる。この穴１３６ａ，１３６ｂは、実施形態２の防水シートの設置のためであり後述する。
【００３９】
補助片１４１は、図８に示すように、側板片１３１の主板１３２と同じ高さの長尺部材である主材１４２と、主材１４２の上面に設けられた凹部形状である上嵌合部１４３ａと、主材１４２の下面に設けられ垂直方向に突出する凸形状である下嵌合部１４３ｂと、を有する。
【００４０】
主材１４２の各面は、それぞれ長方形の平面形状を有し、互いに直交する第１部材１４２ａ及び第２部材１４２ｂと、第１部材１４２ａ、第２部材１４２ｂとそれぞれ平行な第３部材１４２ｃ及び第４部材１４２ｄと、基端部を連結するＬ字形状の切欠部１４２ｅと、第１部材１４２ａ及び第２部材１４２ｂの内側面同士と接合するコ字形状の中央部材１４２ｆと、を備えている。
【００４１】
補助片１４１は、平面視で２段の連続する段部を有する略Ｗ字状となり、第１部材１４２ａ及び中央部材１４２ｆの間に直角形状の第１谷部１４４ａと、第２部材１４２ｂ及び中央部材１４２ｆの間に直角形状の第２谷部１４４ｂとが形成される。
【００４２】
第１谷部１４４ａ及び第２谷部１４４ｂの形状は側板片１３１の突縁１３２ｄ、ｆと接合する形状である。第１部材１４２ａ、第３部材１４２ｃが切欠部１３３ａ，１３３ｂと接合する形状である。同様に、第２部材１４２ｂ、第４部材１４２ｄも切欠部１３３ａ，１３３ｂと接合する形状である。第１部材１４２ａ、第２部材１４２ｂ、及び中央部材１４２ｆはそれぞれ、中空に形成されており、内部に突縁１４２ｇ、１４２ｈが設けられる。
【００４３】
第１部材１４２ａ及び第２部材１４２ｂの上面には、長穴形状の上嵌合部１４３ａがそれぞれ設けられる。それぞれの上嵌合部１４３ａは長穴形状の長軸が直交して配置される。中央部材１４２ｆの下部には、底板片１２１の嵌合部１２３と嵌合する形状の突起である下嵌合部１４３ｂが設けられる。
【００４４】
結合片１５１は、上部結合片１５０の一つであり、２個の補助片１４１と２個の側板片１３１を連結することができる。容器１１０において側板片１３１が直線状に並ぶ部分の結合部材として上部に使用される。結合片１５１は、図９に示すように、主板１５６と、主板１５６の片側の主面から垂直に突出する無端中空壁の保持部１５２，１５３，１５４と、保持部１５２，１５３，１５４よりも小さく、高さの低い凸状の嵌合部１５５とを一体的に有する形状である。保持部１５２，１５３，１５４の間には組み立ての際の把持性向上のために低壁の突縁が設けられている。
【００４５】
保持部１５２，１５３は保持部１５４に対向し、側板片１３１及び補助片１４１を挟持する。保持部１５２及び保持部１５３は左右対称に間隙を置いて並置される。
【００４６】
保持部１５４は角部に凸部１５４ａを有し、隣接配置される２個の補助片１４１の切欠部１４２ｅと嵌合し、補助片１４１の変形を規制することができる。嵌合部１５５は、主板１５６の主面から垂直に突出し、保持部１５２，１５３と、保持部１５４との間の領域に配列され、図１１に示す上嵌合部１３４及び上嵌合部１４３ａの長穴形状と嵌合する長円形状の突起であり、直線上に複数（例えば四個）が配列される。
【００４７】
結合片１６１は、上部結合片１５０の一つであり、容器１１０において側板片１３１が直角をなして並ぶ角部のつなぎとして上部に使用される結合部材である。結合片１６１は、図１０に示すように、主板１６０と、主板１６０から垂直に延び出す無端中空壁の保持部１６２，１６３と、主板１６０から垂直に延び出し、保持部１６２，１６３よりも小さく、高さの低い凸状の嵌合部１６４とを一体的に有する形状である。保持部１６２，１６３は対向するように配置される。結合片１６１は、円形が例示されるが形状は限定されない。保持部１６２，１６３の間には組み立ての際の把持性向上のために低壁の突縁が設けられている。
【００４８】
保持部１６２，１６３は主面から突出し、また、相互に対向しており、これらによって側板片１３１及び補助片１４１を挟持する。図１２に示す嵌合部１６４は、保持部１６２、１６３の間に位置し、側板片１３１の上嵌合部１３４の長穴形状と嵌合する長円形状の突起であり、直交して二個が配列される。さらにこれらが直交して複数（例えば四個）が配列される。なお、外側の２個の嵌合部１６４は、上嵌合部１３４の形状に対して部分的にのみ形成されているが、部品の小型化を図るものである。
【００４９】
底板片１２１、結合片１２５、側板片１３１、補助片１４１、結合片１５１、及び結合片１６１の各片はポリプロピレン製であるが、これに限られず、ポリエチレン、ポリ塩化ビニル、ポリエチレンテレフタラート、アクリル樹脂、その他、ガラス繊維やプラスチック繊維等を加えた強化プラスチックを含む合成樹脂製が好適である。また、ステンレスやアルミ等の鋼板を用いることもできる。
【００５０】
容器１１０の組立て方法について図１〜図３、図１１、図１２を参照して説明する。複数個の底板片１２１を平面上に整列し、隣接する四個の底板片１２１の各々の交差点において結合片１２５を嵌合して底板１２０とする。この嵌合は、隣接する四個の底板片１２１の嵌合部１２３のうち、その交差点に直近の複数の嵌合部１２３と、結合片１２５の嵌合部１２７とにより行う。
【００５１】
つぎに、補助片１４１を間に嵌合して１６個の側板片１３１を組み立て、４個の側板１３０を立設する。底板１２０の端辺に位置する嵌合部１２３と、図７に示す下嵌合部１３５または図８に示す下嵌合部１４３ｂとを嵌め合わせる。
【００５２】
側板片１３１が直線部に連なる接合箇所においては、図１１に示すように、隣接する側板片１３１の間に２個の補助片１４１を、９０度、回転した位置に配置し、それぞれの第１部材１４２ａと第２部材１４２ｂとを直線上に切欠部１４２ｅを介して間隙を置いて設ける一方、それぞれの第２部材１４２ｂと第１部材１４２ａとを背中合わせで当接させる。図１１に示す右側の補助片１４１では、突縁１３２ｆと第１谷部１４４ａが嵌め合わされ、突縁１３２ｇと、第１部材１４２ａ，第３部材１４２ｃが突き合わされるが、第２谷部１４４ｂは非嵌合状態である。一方、図１１に示す左側の補助片１４１では、突縁１３２ｄと第２谷部１４４ｂが嵌め合わされ、突縁１３２ｅと第２部材１４２ｂ，第４部材１４２ｄが突き合わされるが、第１谷部１４４ａは非嵌合状態である。つまり、補助片１４１の第１谷部１４４ａと第２谷部１４４ｂのいずれか一方を側板片１３１の端部全体と嵌合させる。
【００５３】
側板片１３１が角部に連なる接合箇所においては、図１２に示すように、その間に一つの補助片１４１を設け、この補助片１４１の第１谷部１４４ａと第２谷部１４４ｂとをそれぞれ隣接する側板片１３１の端部全体と接合させる。
【００５４】
最後に、側板片１３１と補助片１４１との隣接部のうち、直線部においては、上部に結合片１５１を嵌合し、側板片１３１と補助片１４１との隣接部のうち、角部においては、上部に結合片１６１を嵌合する。直線部においては、結合片１５１の嵌合部１５５と、２個の上嵌合部１３４、及び、２個の上嵌合部１４３ａとにより行う。角部においては、結合片１６１の嵌合部１６４と、２個の上嵌合部１３４、及び、２個の上嵌合部１４３ａとにより行う。組み立て状態において、側板片１３１の一つの下部に水抜き穴（図示略）を設けるとよい。なお、上記は組立例であり、使用する部材の個数や組み付ける順番はこれに限られない。また、各片の接合にはＵ字型クリップ等を補助的に用いてもよい。
【００５５】
実施形態１による容器の組立てセット１００及び容器１１０の効果について説明する。容器１１０は、底板片１２１、結合片１２５、側板片１３１、補助片１４１、結合片１５１及び結合片１６１のみから所望の大きさに組み立てることが可能である。直線部及び角部の結合には、補助片１４１を共通して使用することができるため、組立て容易であるばかりでなく、部品の共通化により製造コストを低く抑えることができる。この組み立ては、各部材の嵌合部による嵌め込みにより可能なため、ボルト等の締結部品や工具を別途使用することなく、非常に容易に組み立てることが可能であり、また、安全性も向上する。
【００５６】
以下、本発明の実施形態２による容器２１０について図１３〜図１５を参照して説明する。実施形態２は、実施形態１の容器１１０において、内角２７０度の凹角部を作成して組み立てた容器２１０と、このための容器の組立てセット（図示略）である。組立式植栽用容器２１０の上部結合片は、実施形態１の結合片１５１と結合片１６１と同様のものを備える他に、凹角部用の結合片２７１を有する。その他、組立式植栽用容器２１０に含まれる各部材については、特に示さない限り、実施形態１の説明を援用し、詳細な図示を省略する。
【００５７】
結合片２７１は、上部結合片の一つであり、容器２１０において側板片２３１は内角２７０度の凹角部のつなぎとして上部に使用される結合部材である。結合片２７１は、図１５に示すように、保持部２７２，２７３，２７４，２７５と、嵌合部２７６とを一体的に有する形状である。結合片２７１の周囲には組み立ての際の把持性向上のために突縁が設けられている。保持部２７２，２７３，２７４はそれぞれ保持部２７５と対向しており、組み立て使用時においては、これらによって側板片２３１及び補助片２４１を挟持する。
【００５８】
結合片２７１は、図１５に示すように、主板２７０と、主板２７０の片側の主面から垂直に突出する無端中空壁の保持部２７２，２７３，２７４，２７５と、保持部２７２，２７３，２７４，２７５よりも小さく、高さの低い凸状の嵌合部２７６とを一体的に有する形状である。保持部２７２，２７３，２７４，２７５間には組み立ての際の把持性向上のために低壁の突縁が設けられている。
【００５９】
保持部２７２〜２７４は保持部２７５に対向し、側板片２３１及び側板間補助片２４１を挟持する。保持部２７２、２７３は直交して配置され、それらの間に保持部２７４が配置される。
【００６０】
保持部２７５はＬ字形状で角部に凸部２７５ａを有し、隣接配置される３個の補助片２４１の切欠部２４２ｅと嵌合し、補助片２４１の変形を規制することができる。嵌合部２７６は、主板２７０の主面から垂直に突出し、保持部２７５と、保持部２７２〜２７４の間の領域に配列され、図１４（ａ）に示す上嵌合部２３４及び上嵌合部２４３ａの長穴形状と嵌合する長円形状の突起であり、直交状に複数（例えば８個）が配列される。
【００６１】
容器２１０の組立ての方法については実施形態１と同様であるので、説明は援用し、相違点について図１３、図１４（ａ）を参照して説明する。凹角部には３個の底板片２２１をそれぞれ直交させて平面上に並べる。この凹角部には３個の補助片２４１と、２個の側板片２３１を、対応する位置にある底板片２２１の嵌合部２２３に嵌合させて組み立てる。補助片２４１と側板片２３１の組立は、まず３個の補助片２４１を９０度ずつ、回転させた位置に配置し、２７０度の角度の内角を構成させ、中央を除く両側の補助片２４１に対して、２個の側板片２３１を直交させて嵌め込む。さらに、結合片２７１を３個の補助片２４１と２個の側板片２３１に嵌め込む。嵌合部２７６は上嵌合部２３４、２４３ａに嵌め込まれる。
【００６２】
図１４（ｂ）は、図１４（ａ）の変形例であり、容器２１０の内部の仕切り区画を増加させ、補強を高めるため、側板片２３１を４個使用する場合であり、単に図示するだけとし、説明は割愛する。
【００６３】
実施形態２による容器２１０の効果について説明する。補助片２４１を３個使用し、結合片２７１により上部を結合することにより、内角が２７０度の凹角部を含む容器２１０を組み立てることができる。これにより、組み立ての自由度がさらに大幅に向上する。
【００６４】
以下、実施形態３による容器３１０について図１６を参照して説明する。この容器３１０は、実施形態１の容器１１０の上方を覆うシート３８０と、シート３８０を支持する骨３９０とを設けたものである。本実施形態による容器３１０は実施形態１の容器１１０と共通のものを使用するため、部品番号を３００番台とし、説明はこれを援用する。
【００６５】
骨３９０は、シート３８０を設置するための逆Ｕ字形状の部材である。骨３９０は、逆Ｕ字形状の開放側を下方に向けて、容器３１０の短手方向に対向する側板３３０に横架して複数本が設けられる。骨３９０は、逆Ｕ字形状の２個の支柱部分を、それぞれ、側板３３０の一対の穴（これらの穴は穴１３６ａに対応する）に通して上下２カ所で固定することにより立設される。骨３９０は長手方向に適宜間隔を空けて複数本設置される。骨３９０の高さは任意に設定することができるが、内部での作業性や植栽の用途によって適宜選択するとよい。
【００６６】
シート３８０は、立設された複数本の骨３９０の上面から側面まで覆設される下方が開放された形状のシートである。本実施形態では、防水シート３８１及び網シート３８２を重ねて設けられる二重構造である。防水シート３８１の側面には、その下端から上方までファスナーにより開閉自在な縦スリット３８３が複数備わる。本実施形態では縦スリット３８３を側面の四隅及び長手方向の両側面の中央に設けているが、これに限らず任意にとり得る。縦スリット３８３により分割された防水シート３８１の側面には、ロールアップ可能なカーテン部３８４が形成される。防水シート３８１の材質は任意の物を用いる。
【００６７】
網シート３８２は、防水シート３８１と同様の構造を持ち、構造の説明はこれを援用する。網シート３８２は、防水シート３８１と骨３９０との間に設置されるので、サイズを適宜調整するとよい。網シート３８２の材質は任意の物を用いることができる。本実施例では、網シート３８２を防水シート３８１と同様の構造を持つものとし、上面から側面にかけての全てを防水シート３８１及び網シート３８２の二重構造にしているが、防水シート３８１のカーテン部３８４に相当する部分にのみ網シート３８２を設けてもよい。
【００６８】
防水シート３８１の側面上部には、開け放した防水シート３８１及び網シート３８２を上部で係止するためのフック３８５が適宜設けられる。防水シート３８１及び網シート３８２の側面上部の裏面には、フック３８５を係止するための係止環（図示略）が設けられる。
【００６９】
容器３１０によると、容器１１０の効果に加え、防水シート３８１及び網シート３８２を開閉自在に設けることが可能となり、容器３１０を温室化することができる。防水シート３８１及び網シート３８２をかぶせることで、無農薬野菜等の育成ができる。シート３８０として寒暖保護となるビニールシートを用いる場合、温室化することができる。
【００７０】
また、屋上に置くことで下の階への寒暖に対する保護となる。防水シート３８１の開閉は、複数に分割されたカーテン部３８４をロールアップしたり、引き下ろしたりすることにより、部分的に行うことができる。網シート３８２も防水シート３８１と同様に開閉できる。防水シート３８１と網シート３８２の開閉はそれぞれ独立して行うことができ、防水シート３８１及び網シート３８２を閉じた状態、防水シート３８１及び網シート３８２を開いた状態、網シート３８２を閉じて防水シート３８１のみ開いた状態を各カーテン部３８４において別個にとることができる（図１６参照）。上記の通り、カーテン部３８４を部分的に開閉可能なため、風通しや温度・湿度等の内部環境の調整も行うことができる。
【００７１】
なお、本発明の実施形態は、上記の実施形態に何ら限定されるものではなく、本発明の技術的思想を逸脱しない範囲において、改変等を加えることができるものであり、それらの改変、均等物等も本発明の技術的範囲に含まれ、該技術的範囲に属する限り種々の形態を採り得ることは言うまでもない。例えば、組立式植栽用容器の組立てセット及び組立式植栽用容器を家庭用で利用する場合、家庭での子供の砂場遊び、或いは、ゴミ処理容器等、多用途に利用可能である。
【符号の説明】
【００７２】
１１０，２１０，３１０・・・組立式植栽用容器
１００・・・組立てセット
１２０・・・底板
１３０・・・側板
１２１・・・底板片
１２２・・・主板
１２３・・・嵌合部
１２２ａ・・・板材
１２２ｂ・・・突縁
１２３・・・嵌合部
１２５・・・結合片
１２６・・・主材
１２７・・・嵌合部
１２６ａ・・・突縁
１３１・・・側板片
１３２・・・主板
１３２ａ・・・板材
１３２ｂ〜ｈ・・・突縁
１３３ａ，１３３ｂ・・・切欠部
１３４・・・上嵌合部
１３５・・・下嵌合部
１３６ａ，１３６ｂ・・・穴
１４１・・・側板間補助片
１４２・・・主材
１４２ａ・・・第１部材
１４２ｂ・・・第２部材
１４２ｃ・・・第３部材
１４２ｄ・・・第４部材
１４２ｅ・・・切欠部
１４２ｆ・・・中央部材
１４２ｇ、１４２ｈ・・・突縁
１４４ａ・・・第１谷部
１４４ｂ・・・第２谷部
１４３ａ・・・上嵌合部
１４３ｂ・・・下嵌合部
１５０・・・上部結合片
１５１・・・直線結合片
１５２，１５３，１５４・・・保持部
１５４ａ・・・凸部
１５５・・・嵌合部
１５６・・・主板
１６１・・・角部結合片
１６０・・・主板
１６２，１６３・・・保持部
１６４・・・嵌合部
２７１・・・結合片
２７２，２７３，２７４，２７５・・・保持部
２７６・・・嵌合部
２３１・・・側板片
２４１・・・側板間補助片
２７０・・・主板
２７５ａ・・・凸部
２４２ｅ・・・切欠部
２３４・・・上嵌合部
２４３ａ・・・上嵌合部
３８０・・・シート
３９０・・・骨
３３０・・・側板
３８１・・・防水シート
３８２・・・網シート
３８３・・・縦スリット
３８４・・・カーテン部
３８５・・・係止フック
【図１】
2013017476.tif 000003
【図２】
2013017476.tif 000004
【図３】
2013017476.tif 000005
【図４】
2013017476.tif 000006
【図５】
2013017476.tif 000007
【図６】
2013017476.tif 000008
【図７】
2013017476.tif 000009
【図８】
2013017476.tif 000010
【図９】
2013017476.tif 000011
【図１０】
2013017476.tif 000012
【図１１】
2013017476.tif 000013
【図１２】
2013017476.tif 000014
【図１３】
2013017476.tif 000015
【図１４】
2013017476.tif 000016
【図１５】
2013017476.tif 000017
【図１６】
2013017476.tif 000018